(57)【特許請求の範囲】
【請求項１】
被取付け部材に形成されているリブに取り付けたクリップ本体を取付け板の取付け孔に対して表面側から挿入して係止させることにより、この取付け板に被取付け部材を脱着可能に装着するクリップであって、
前記クリップ本体は、被取付け部材のリブをその両側から挟み付ける一対の挟持片と、これらの挟持片の外側に位置し、取付け板の取付け孔に挿入される一対の係止片とを備え、
両挟持片は、リブの両側と接触するように向かい合う平坦な挟持面と、これらの挟持面からそれぞれ突出し、リブに形成されている孔に両側から入り込むことが可能な係止突起と、これらの係止突起においてそれぞれの挟持片の挟持面とほぼ直角に形成されてリブの孔に係止することが可能な係止面とを備え、
両係止片は、取付け孔に挿入されたときに取付け板の裏面側に位置する係止肩と、これらの係止肩において取付け孔近傍の取付け板の裏面に平行に当たって係止することが可能な係止面とを備え、
両挟持片と両係止片との相互間において、相互の剛性と、リブの孔及び取付け板の裏面に対する個々の係止面の面積とのうち、少なくとも一方に差をもたせているクリップ。
【発明の詳細な説明】
【０００１】
【発明の属する技術分野】
本発明は、例えば自動車のインストルメントパネルにセンタクラスターなどを脱着可能に装着するためのクリップに関する。
【０００２】
【従来の技術】
従来、この種のクリップとしては例えば図４で示す形状のものがある。この図面で示すクリップ本体６０は、一端側の頭部６２に続く一対の挟持片６４と、これらの挟持片６４の外側に位置する一対の係止片７２と、これらの係止片７２からそれぞれ他端側に延びる一対の脚部７８とに大別され、これらが一体に樹脂成形されている。なお両挟持片６４において互いに向かい合う平坦な挟持面６６の先端（下端）寄りには係止突起６８がそれぞれ形成されている。
【０００３】
図面で示すように前記クリップ本体６０をセンタクラスター３０のリブ３２に取り付けたとき、両挟持片６４はリブ３２をその両側から挟み付けた格好になっており、かつ両係止突起６８はリブ３２の孔３４に両側から入り込んでいる。そしてこれらの係止突起６８の係止面７０が孔３４の内周面に係止し、両挟持片６４（つまりクリップ本体６０）がリブ３２から抜けないように保持される。
【０００４】
そこでリブ３２に取り付けられたクリップ本体６０を、インストルメントパネル４０の表面４４側から取付け孔４２に挿入する。これにより、両係止片７２に形成されている係止肩７４が取付け孔４２を通過し、両係止肩７４の係止面７６がインストルメントパネル４０の裏面４６にそれぞれ係止する。またこれと同時に、リブ３２の座面３６がインストルメントパネル４０の表面４４に押し付けられる。したがってセンタクラスター３０は、前記座面３６とクリップ本体６０の両係止肩７４とにより、インストルメントパネル４０をその表裏両側から挟み付けた状態で、このインストルメントパネル４０に装着される。
【０００５】
前記センタクラスタ３０をインストルメントパネル４０から取り外す必要が生じた場合は、このセンタクラスター３０を強く引っ張ることにより、両係止片７２の弾性変形と、それぞれの係止肩７４における係止面７６の傾斜とに基づいて取付け孔４２からクリップ本体６０を抜き取ることができる。これによってセンタクラスタ３０のリブ３２にクリップ本体６０を取り付けたまま、センタクラスター３０をインストルメントパネル４０から外すことができる。
【０００６】
なお場合によっては、前記とは逆にクリップ本体６０をインストルメントパネル４０の取付け孔４２に残してセンタクラスタ３０だけを取り外す、といった要求もある。これに対処するには、両係止突起６８の係止面７０を孔３４から外れやすい傾斜に設定する一方、両係止肩７４の係止面７６をインストルメントパネル４０の裏面４６とほぼ平行に当たるように設定している。
【０００７】
【発明が解決しようとする課題】
このように従来は、クリップ本体６０をセンタクラスタ３０とインストルメントパネル４０とのいずれの側に残すかによって、係止突起６８と係止肩７４とのそれぞれの係止面７０，７６のいずれか一方を外れやすい斜面に設定している。したがって係止面７０，７６のうち、斜面に設定された方と相手部材との装着保持力を安定したものとするには、クリップ本体６０を大きくするか、あるいはクリップ本体６０を高い剛性の樹脂材で成形するといった手段を採用している。
【０００８】
本発明は前記課題を解決しようとするもので、その目的は、クリップ本体のサイズや材質を大幅に変更することなく、取付け板から被取付け部材を外すとき、これら双方のどちらにクリップ本体を残すかといった設定を自由に選択できるようにし、またクリップ本体のサイズや材質を大幅に変更することなく、取付け板に対する被取付け部材の保持力の向上あるいは安定化を図ることである。
【０００９】
【課題を解決するための手段】
本発明は前記目的を達成するためのもので、請求項１記載の発明は、被取付け部材に形成されているリブに取り付けたクリップ本体を取付け板の取付け孔に対して表面側から挿入して係止させることにより、この取付け板に被取付け部材を脱着可能に装着するクリップであって、前記クリップ本体は、被取付け部材のリブをその両側から挟み付ける一対の挟持片と、これらの挟持片の外側に位置し、取付け板の取付け孔に挿入される一対の係止片とを備えている。両挟持片は、リブの両側と接触するように向かい合う平坦な挟持面と、これらの挟持面からそれぞれ突出し、リブに形成されている孔に両側から入り込むことが可能な係止突起と、これらの係止突起においてそれぞれの挟持片の挟持面とほぼ直角に形成されてリブの孔に係止することが可能な係止面とを備えている。両係止片は、取付け孔に挿入されたときに取付け板の裏面側に位置する係止肩と、これらの係止肩において取付け孔近傍の取付け板の裏面に平行に当たって係止することが可能な係止面とを備えている。両挟持片と両係止片との相互間において、相互の剛性と、リブの孔及び取付け板の裏面に対する個々の係止面の面積とのうち、少なくとも一方に差をもたせている。
なお、両挟持片と両係止片との相互間において、相互の剛性とリブの孔及び取付け板の裏面に対する個々の係止面の面積とのそれぞれに差をもたせる場合、例えば両挟持片の剛性を大きく設定したときは、リブの孔に対する係止面の面積も大きくすることが必要である。
【００１１】
このように本発明によれば、挟持片と係止片との剛性差及び／又はリブの孔に対する係止面と取付け板の裏面に対する係止面との面積差により、取付け板から被取付け部材を外すとき、これら双方のどちらにクリップ本体を取り付けたまま残すかといった選定が、クリップ本体のサイズや材質を変更することなく可能となる。
また同じくクリップ本体のサイズや材質を大幅に変更することなく、取付け板に対する被取付け部材のクリップによる保持力が向上し、あるいは安定する。なお、クリップによる保持力とは、取付け板（例えばインストルメントパネル）から被取付け部材（例えばセンタクラスタ）を外す際に、どの程度の力で被取付け部材を引っ張れば外れ、どの程度の力までは持ちこたえるかといった力のことである。
【００１２】
【発明の実施の形態】
以下、本発明の実施の形態を説明する。
図１はクリップの外観斜視図、図２は同じくクリップの正面図である。これらの図面で示すようにクリップ本体１０は、その一端（上端）側において湾曲状に形成された頭部１２、この頭部１２の両側から連続して形成された一対の挟持片１４及びこれらの外側に位置する一対の係止片２２、両係止片２２から他端（下端）側へ延びる一対の脚部２８に大別され、これらが樹脂材の射出成形などによって一体に成形されている。
【００１３】
前記頭部１２は、後述するインストルメントパネル４０の取付け孔４２に対してクリップ本体１０を挿入するときの先行案内部となるため、挿入しやすいように外周面に丸みをもたせている。また一対の挟持片１４の相対向する内面は、平坦で互いにほぼ平行な挟持面１６となっており、これらの挟持面１６の間隔は後で説明するセンタクラスター３０のリブ３２の板厚とおなじか、それよりもわずかに小さく設定されている。そして両挟持片１４は、それ自体の弾性及び前記頭部１２の弾性によって相互の挟持面１６の間隔を変化させる方向の変形が可能である。
【００１４】
前記の両挟持片１４における個々の挟持面１６の先端（下端）寄りには、係止突起１８がそれぞれ形成されている。これらの係止突起１８におけるそれぞれの上面は、個々の挟持面１６とほぼ直角な係止面２０となっている。なお両挟持片１４の先端（下端）面及び両係止突起１８の下面は、センタクラスタ３０のリブ３２が通過しやすいような斜面になっている。
【００１５】
前記の両係止片２２は、それ自体の弾性によって相互の間隔及び両脚部２８の間隔を変化させる方向の変形が可能である。また両係止片２２には、それぞれの脚部２８につづく個所において外側に張り出した係止肩２４がそれぞれ形成されている。これらの係止片２２及び係止肩２４の外側面は、クリップ本体１０がインストルメントパネル４０の取付け孔４２をスムースに通過できるような傾斜面となっている。そして両係止肩２４の下面は、インストルメントパネル４０の裏面４６とほぼ平行に当たる係止面２６となっている。なお両脚部２８は互いにほぼ平行に位置しているとともに、それぞれの端部には外側に向けて突出したスタビライザー２９が形成されている。
【００１６】
図３は前記構成のクリップの使用状態を表した正面図である。この図面に示されているセンタクラスタ３０はクリップによる「被取付け部材」であり、その裏面における複数の所定箇所にリブ３２が一体に形成されている。このリブ３２の先端面は、前記の両挟持片１４の間へのリブ３２の相対的な挿入が円滑となるように傾斜面となっている。またリブ３２のほぼ中間部には孔３４が形成されているとともに、リブ３２の両側には取付け座面３６が形成されている。
一方、インストルメントパネル４０はセンタクラスタ３０が装着される「取付け板」であって、前記の各リブ３２と対応する箇所に取付け孔４２が形成されている。
【００１７】
つづいてクリップによってセンタクラスタ３０をインストルメントパネル４０に装着する手順について説明する。
まずクリップ本体１０の両挟持片１４の間にセンタクラスター３０のリブ３２を相対的に挿入すると、このリブ３２は両挟持面１６の間に進入し、両挟持片１４によって両側から挟み付けられた状態となる。これと同時に両挟持片１４の係止突起１８がリブ３２の孔３４に対してその両側からそれぞれ入り込み、それぞれの係止面２０が孔３４の内周面に対し、両挟持片１４がリブ３２から抜けないように係止する。
【００１８】
このようにしてリブ３２に取り付けられたクリップ本体１０を、その頭部１２の側からインストルメントパネル４０の取付け孔４２に挿入する。これによって両係止片２２がそれぞれの弾性変形によって内側に撓みながら取付け孔４２を通過し、両係止肩２４がインストルメントパネル４０の裏面４６に位置する。この状態において両係止肩２４の係止面２６がインストルメントパネル４０の裏面４６（取付け孔４２の縁）に係止している。なおセンタクラスター３０の座面３６はインストルメントパネル４０の表面４４に押し付けられており、結果的にインストルメントパネル４０はクリップ本体１０の両係止肩２４とセンタクラスター３０の座面３６とによって表裏両側から挟持された格好となっている。
【００１９】
以上の手順によってインストルメントパネル４０にセンタクラスター３０が装着されるのであるが、メンテナンスなどに際してインストルメントパネル４０からセンタクラスター３０を取り外す必要が生じることがある。この場合、クリップ本体１０を、センタクラスタ３０のリブ３２に取り付けられたままインストルメントパネル４０から取り外すか、逆にインストルメントパネル４０の側に残すかのいずれかが選択される。
【００２０】
例えばクリップ本体１０をリブ３２に取り付けたままでインストルメントパネル４０の側から取り外したい場合、そのための一手段としては前記挟持片１４の剛性（弾性）を係止片２２のそれより大きく設定する。そこで図３の状態からセンタクラスター３０を強く引っ張ると、剛性の小さい両係止片２２が弾性変形を起こし、インストルメントパネル４０の裏面４６に対する両係止肩２４の係止面２６の係止が外れる。一方、剛性の大きい両挟持片１４はセンタクラスタ３０のリブ３２をその両側から挟みつけたままであり、かつ両係止突起１８はその係止面２０がリブ３２の孔３４に係止したままである。
【００２１】
したがってクリップ本体１０をリブ３２に取り付けたままで、しかもクリップ本体１０の破損などを招くことなくセンタクラスター３０をインストルメントパネル４０から外すことができる。これにより、センタクラスター３０をインストルメントパネル４０に再び装着するときは、クリップ本体１０をそのまま再使用することができる。
【００２２】
また前記のように挟持片１４と係止片２２とに剛性差をもたせることに代え、あるいはそれと併用して両係止突起１８における係止面２０の面積を両係止肩２４の係止面２６のそれよりも大きく設定することも可能である。なお挟持片１４と係止片２２との剛性の差、及び／又は係止面２０，２６の差を前記と逆に設定すれば、クリップ本体１０をインストルメントパネル４０の側に残してセンタクラスタ３０を取り外すことができる。
【００２３】
このように本実施の形態では、クリップ本体１０のサイズや材質を大幅に変更することなく、センタクラスタ３０をインストルメントパネル４０から外すときに、これら双方のどちらにクリップ本体１０を残すかといった選択を容易に行うことができる。そして、いずれの場合においても係止突起１８の係止面２０は前記挟持面１６とほぼ直角に形成されており、係止肩２４の係止面２６はインストルメントパネル４０の裏面４６とほぼ平行に当たるように形成されていることに変わりはない。このためインストルメントパネル４０に対するセンタクラスタ３０の装着状態、この装着を外したときの双方のいずれかに対するクリップ本体１０の取り付け状態は安定している。また同じくクリップ本体１０のサイズや材質を大幅に変更することなく、インストルメントパネル４０に対するセンタクラスタ３０の保持力が向上し、あるいは安定する。
【図面の簡単な説明】
【図１】クリップを表した外観斜視図。
【図２】クリップを表した正面図。
【図３】クリップの使用状態を表した正面図。
【図４】従来のクリップの使用状態を表した正面図。
【符号の説明】
１０  クリップ本体
１４  挟持片
１６  挟持面
１８  係止突起
２０  係止面
２２  係止片
２４  係止肩
２６  係止面
３０  センタクラスター（被取付け部材）
３２  リブ
３４  孔
４０  インストルメントパネル（取付け板）
４２  取付け孔
【図１】
0004219467.tif 000002
【図２】
0004219467.tif 000003
【図３】
0004219467.tif 000004
【図４】
0004219467.tif 000005